(57)【要約】【課題】  液体クロマトグラフにおいて良好な分析結果を得られなかった場合に、オペレーターの分析方法に関する知識や習熟度に関係なく、分析条件の補正を自動的に行うことができる装置、及び方法を提供する。【解決手段】  特定の分析条件を使用して得た良好なクロマトグラムおよび分析結果をこの分析条件が登録されているメソッドファイルに登録し、登録した分析結果を基準として取得した分析結果の良否を成分ごとに判定する方法と、その判定が否の場合に分析条件の補正をする方法をさらにこのメソッドファイルに登録する。このメソッドファイルを使用して分析を行い、登録した分析結果を基準として結果の良否を登録した判定条件で判定し、否の場合に登録した補正方法で分析条件補正し、良好な結果が得られる分析条件に補正する。【選択図】  図１
2014098672.tif 000002
【特許請求の範囲】
【請求項１】
液体クロマトグラフ用のデータ処理装置において、
所定の分析条件と、前記所定の分析条件を使用して取得された第一の分析結果に関する情報と、前記分析条件についての補正に関する情報とを予め記憶する記憶部と、
当該記憶された第一の分析結果に関する情報と、前記所定の分析条件を用いて新たに取得された第二の分析結果に関する情報とを、試料成分ごとに比較する比較部と、
当該比較の結果に基づいて、前記取得された第二の分析結果が予め定めた基準を満たすか否かを前記試料成分ごとに判定する判定部と、を備え、
当該判定の結果、前記第二の分析結果が前記基準を満たさない場合には、当該記憶された補正に関する情報を用いて、前記分析条件を補正することを特徴とするデータ処理装置。
【請求項２】
請求項１に記載されたデータ処理装置において、
前記分析条件は、ポンプの流量、溶離液のグラジエント混合比、カラムオーブンの温度のうち、少なくとも１つを含むことを特徴とするデータ処理装置。
【請求項３】
請求項２に記載されたデータ処理装置において、
前記分析条件の補正に関する情報は、前記分析条件における補正対象項目、前記対象項目の補正パラメータ、及び前記対象項目の補正式を含むことを特徴とするデータ処理装置。
【請求項４】
請求項３に記載されたデータ処理装置において、
当該記憶部に記憶された補正式、所定の分析条件、第一の分析結果に関する情報、第二の分析結果に関する情報、及び補正パラメータを用いて前記分析条件の補正値を求める演算部をさらに備えることを特徴とするデータ処理装置。
【請求項５】
液体クロマトグラフ用のデータ処理方法において、
所定の分析条件と、前記所定の分析条件を使用して取得された第一の分析結果に関する情報と、前記分析条件についての補正に関する情報とを予め記憶する工程と、
当該記憶された第一の分析結果に関する情報と、前記所定の分析条件を用いて新たに取得された第二の分析結果に関する情報とを、試料成分ごとに比較する工程と、
当該比較の結果に基づいて、前記取得された第二の分析結果が予め定めた基準を満たさない場合には、当該記憶された補正に関する情報を用いて、前記分析条件を補正する工程と、を備えることを特徴とするデータ処理方法。
【請求項６】
請求項５に記載されたデータ処理方法において、
前記分析条件は、ポンプの流量、溶離液のグラジエント混合比、カラムオーブンの温度のうち、少なくとも１つを含むことを特徴とするデータ処理方法。
【請求項７】
請求項６に記載されたデータ処理方法において、
前記分析条件についての補正に関する情報は、前記分析条件における補正対象項目、前記対象項目の補正パラメータ、及び前記対象項目の補正式を含むことを特徴とするデータ処理方法。
【請求項８】
請求項７に記載されたデータ処理方法において、
当該記憶された補正式、所定の分析条件、第一の分析結果に関する情報、第二の分析結果に関する情報、及び補正パラメータを用いて前記分析条件の補正値を求める工程をさらに備えることを特徴とするデータ処理方法。
【請求項９】
溶離液を吸引するポンプと、溶離液にサンプルを注入するオートサンプラと、サンプルを成分ごとに分離するカラムオーブンと、当該分離された各成分を検出する検出器と、当該検出されたクロマトグラフより各成分の分析を行うデータ処理装置と、を備える液体クロマトグラフ装置において、
前記データ処理装置は、
所定の分析条件と、前記所定の分析条件を使用して取得された第一の分析結果に関する情報と、前記分析条件についての補正に関する情報とを予め記憶する記憶部と、
当該記憶された第一の分析結果に関する情報と、前記所定の分析条件を用いて新たに取得された第二の分析結果に関する情報とを、試料成分ごとに比較する比較部と、
当該比較の結果に基づいて、前記取得された第二の分析結果が予め定めた基準を満たすか否かを前記試料成分ごとに判定する判定部と、
当該判定の結果、前記第二の分析結果が前記基準を満たさない場合には、当該記憶された補正に関する情報を用いて、前記分析条件を補正することを特徴とする液体クロマトグラフ装置。
【発明の詳細な説明】
【技術分野】
【０００１】
本発明は、液体クロマトグラフ、液体クロマトグラフ用のデータ処理装置及び方法に関し、特に分析条件を自動で補正することができる装置、及び方法に関する。
【背景技術】
【０００２】
液体クロマトグラフ装置では、分析される試料の測定成分と求められる分析精度によって分析条件が設定される。通常、グラジエントの混合比、ポンプの流量、カラムオーブンの温度等の分析条件に関しては、熟練者(以下、メソッド開発者)が検討および開発し、オペレーターはメソッド開発者が開発した分析条件を用いて、分析を行っている。
【０００３】
近年、液体クロマトグラフ装置は分析動作の自動化が進み、熟練度の低いオペレーターでも良好な分析結果を容易に得られることが求められている。特許文献１には、測定値または分析結果が期待値を外れた場合に、問題点の特定を容易にする手法として、測定値の精度が予め定めた閾値よりも低い場合に、操作履歴に関する情報として出力する項目を予め設定できる技術について開示されている。
【先行技術文献】
【特許文献】
【０００４】
【特許文献１】特開２０１０−１５１６５１号公報
【発明の概要】
【発明が解決しようとする課題】
【０００５】
例えばピークの分離不良など、測定結果が期待通りに得られない場合には、分析条件を補正する必要がある。しかしながらこれらの一連の補正作業は、経験に基づくノウハウを要するため、熟練したメソッド開発者でなければ困難である。
特許文献１に記載された技術においては、オペレーターが問題点の特定を容易にすることはできるものの、分析条件を補正する場合の装置の自動化については考慮されていない。
【０００６】
本発明の目的は、オペレーターの分析方法に関する知識の有無や習熟度に関わらず、液体クロマトグラフが良好な分析結果を得られなかった場合に分析条件の補正を自動的に行うことができるデータ処理装置及び方法を提供することを目的とする。
【課題を解決するための手段】
【０００７】
前記目的を達成するための一態様として、所定の分析条件と、前記所定の分析条件を使用して取得された第一の分析結果に関する情報と、前記分析条件についての補正に関する情報とを予め記憶する記憶部と、当該記憶された第一の分析結果に関する情報と、前記所定の分析条件を用いて新たに取得された第二の分析結果に関する情報とを、試料成分ごとに比較する比較部と、当該比較の結果に基づいて、前記取得された第二の分析結果が予め定めた基準を満たすか否かを前記試料成分ごとに判定する判定部と、を備え、当該判定の結果、前記第二の分析結果が前記基準を満たさない場合には、当該記憶された補正に関する情報を用いて、前記分析条件を補正することを特徴とする装置、及び当該装置を用いた方法を提供する。
このような構成とすることにより、測定で得られた分析結果が良好でない場合においても、予め登録した良否の判定基準より不良な結果を抽出し、不良部分を補正する分析条件を自動的に作成することにより、次の分析で良好な分析結果を得ることが可能となる。
【発明の効果】
【０００８】
上記一態様によれば、液体クロマトグラフが良好な分析結果を得られなかった場合でも、分析条件の補正が自動的に行われるので、ユーザーの分析方法の知識に関係なく、良好な分析結果を得ることができる。
【図面の簡単な説明】
【０００９】
【図１】液体クロマトグラフ装置の実施形態の一例であるアミノ酸分析計の構成図
【図２】メソッド開発者の分析作業の流れを示すフローチャート
【図３】オペレーターの分析作業の流れを示すフローチャート
【図４】メソッド開発者作成のタイムテーブル
【図５】メソッド開発者の分析結果表示画面
【図６】分析条件の補正条件設定画面
【図７】補正条件を登録するメソッドファイルの選択画面
【図８】オペレーターの分析結果表示画面
【図９】補正の判定結果表示画面
【図１０】補正後のタイムテーブル
【発明を実施するための形態】
【００１０】
以下、本発明に係る液体クロマトグラフ装置の実施形態の例として、アミノ酸分析計を挙げる。図１はアミノ酸分析計の構成図である。本分析計は、たん白加水分解物アミノ酸、血清、尿などの生体液等に含まれるアミノ酸類縁物等を自動的に定性、定量する装置である。アミノ酸分析計について図を参照しながら説明する。
アミノ酸分析計１は、分析計本体２２とデータ処理装置３４とから構成されている。
（分析計本体）
分析計本体２２は、第１緩衝液２、第２緩衝液３、第３緩衝液４、第４緩衝液５、水６及びカラム再生液７を送出する溶離液ポンプ９、第１緩衝液２、第２緩衝液３、第３緩衝液４、第４緩衝液５、緩衝液中に混入した空気中のアンモニアを除去するアンモニアフィルタ１０、複数の測定試料を保持して、所定量を緩衝液が流れる流路に注入するサンプラ１１、測定試料の成分を分離する分離カラム１２、第１ニンヒドリン試薬１３、第２ニンヒドリン試薬１４、洗浄液１５を送出するニンヒドリンポンプ１７、測定試料の成分とニンヒドリン試薬１３、ニンヒドリン試薬１４を混合し反応させる反応コイル１８、分離された成分を測定する検出器１９、分析計本体２２を制御する制御部２０、データ処理装置３４との通信をする通信ユニット２１を含んでいる。
【００１１】
制御部２０は、データ処理装置３４からの制御コマンドを、通信ユニット２１を介して受信する。制御部２０は、その制御コマンドに従って溶離液ポンプ９および電磁弁８Ａ、８Ｂ、８Ｃ、８Ｄ、８Ｅ、８Ｆを制御し、第１緩衝液２、第２緩衝液３、第３緩衝液４、第４緩衝液５、水６及びカラム再生液７を電磁弁８Ａ、８Ｂ、８Ｃ、８Ｄ、８Ｅ、８Ｆで選択し、所定の流速で送液し、アンモニアフィルタ１０に送られる。サンプラ１１は制御部２０に制御されて、指示されたアミノ酸試料を、アンモニアフィルタ１０を通過した緩衝液等が流れる流路に所定量だけ分注する。分離カラム１２には分離カラム１２を通過する緩衝液等の温度を制御部２０の制御によって所定の温度に設定するオーブン(図示せず)が設けられている。分離カラム１２を通過したアミノ酸試料は成分ごとに分離され、ここで分離した各アミノ酸は、制御部２０の制御によって電磁弁１６Ａ、１６Ｂ、１６Ｃで選択したニンヒドリン試薬１３、ニンヒドリン試薬１４をニンヒドリンポンプ１７によって送液し、反応コイル１８で混合し、反応する。洗浄液１５は、反応系流路洗浄用の蒸留水または５％エタノール水溶液である。反応によって発色したアミノ酸は、検出器１９に流れ、検出器１９により時間軸上でスペクトルを検出され、その信号が制御部２０、通信ユニット２１を介してデータ処理装置３４に送られる。
（データ処理装置）
データ処理装置３４としては、例えば、パーソナルコンピュータが使われている。データ処理装置３４は、ＣＰＵ２６、内部バス２７、並びに内部バスに接続したＲＡＭ２５、ハードディスク装置などの記憶装置２９、入出力制御部２８、および通信ユニット２４を含んでいる。入出力制御部２８はインタフェース回路であり、ディスプレイ３０、キーボード３１、マウス３２、スピーカ３３などの入出力装置と接続している。通信ユニット２４は、分析計本体２２の通信ユニット２１と通信回線２３で接続されている。
【００１２】
このデータ処理装置３４には、分析計本体２２を制御するための装置制御プログラム３６や、検出器１９からの信号をデータ処理するデータ処理プログラム３７や、それらのプログラムを動作させるときの条件を入力するユーザインタフェース制御プログラム（以下、ＵＩ制御プログラムと称する）３５、データ処理プログラム３６、装置制御プログラム３７などが記憶装置２９に組み込まれており、ＣＰＵ２６がこれらのプログラム３５、３６、３７を読み出して実行し、キーボード３１やマウス３２などの入力装置を介してユーザーがこれらのプログラム３５、３６、３７を用いて分析計本体２２やデータ処理装置３４を動作させることが可能となっている。本実施の形態において後述するデータ間の比較、データの良否判定、その他の処理については、それぞれＣＰＵ２６が備える比較部、判定部、その他の手段(図示せず)により実施される。
【００１３】
このデータ処理装置３４により検出器１９からの信号が処理されて、クロマトグラムデータが作成され、作成されたデータがディスプレイ３０に表示される。１つの試料の測定完了後、作成されたデータを分析データとして記憶装置２９における任意に指定されたフォルダの中にファイルで保存し、所定のデータ解析条件によりクロマトグラムのピークの同定、ピーク面積の算出などの分析データの解析が行われる。分析データの解析結果データも、記憶装置２９において予めユーザーにより任意に指定したフォルダにファイルで保存される。
《分析作業の手順》    
次に、本発明を用いてアミノ酸分析計１を使用した場合における分析作業の手順を、図２および図３を参照しながら説明する。図２は本発明におけるメソッド開発者の分析作業の流れを示すフローチャートである。図３は本発明におけるオペレーターの分析作業の流れを示すフローチャートである。
（メソッド開発者の手順）    
メソッド開発者の操作を、図２を用いて説明する。メソッド開発者は、分析を始めるにあたり、キーボード３１、マウス３２などの入力装置を使用して所定の操作を行い、分析計本体２２とデータ処理装置３４を起動する（Ｓ２０１）。データ処理装置３４よりグラジエントの混合比、ポンプの流量、カラムオーブンの温度等の分析に使用する分析条件を設定する。ここで、図４はグラジエントの混合比、ポンプの流量を時系列で設定するためのメソッド開発者作成のタイムテーブル３８の例を示す。％Ｂ１から％Ｂ６までは、第１緩衝液２、第２緩衝液３、第３緩衝液４、第４緩衝液５、水６、カラム再生液７の混合比の設定値を示す。流量１は溶離液ポンプ９の流量の設定値である。％Ｒ１から％Ｒ３はニンヒドリン試薬１３、ニンヒドリン試薬１４、洗浄液１５の混合比の設定値である。流量２はニンヒドリンポンプ１７の流量の設定値である。タイムテーブル３８の設定は、たん白質加水分解物分析法によるアミノ酸分析の分析条件の一例を示している。また、図示していないが、上記のほか、カラムオーブンの温度を時系列で設定するためのタイムテーブルが用いられる場合もある。
メソッド開発者はタイムテーブル３８の設定後、記憶装置２９内の任意に指定したフォルダの中にメソッドファイルとしてこれらの分析条件を保存する（Ｓ２０２）。測定するアミノ酸試料の数、バイアルの位置、および測定に使用する分析条件を設定したサンプルテーブルを作成し、修正がなければ、確定したサンプルテーブルを記憶装置２９内の任意に指定したフォルダの中にサンプルテーブルファイルとして保存する(Ｓ２０３)。アミノ酸試料の分析を開始する前に、準備運転を行う（Ｓ２０４）。この準備運転は、緩衝液・反応液のパージやカラムの平衡化等を指す。準備運転が完了後、登録したサンプルテーブルを用いてアミノ酸試料の分析を開始する（Ｓ２０５）。アミノ酸分析計１はメソッドファイルに設定されているメソッドの分析条件で、指定されたアミノ酸試料の測定を行う。
分析終了後、データ処理装置３４は、取得したクロマトグラムおよび分析結果を記憶装置２９内の任意に指定したフォルダ内にデータファイルとして保存する。図５は、メソッド開発者の分析結果表示画面３９を示す。ＵＩ制御プログラム３６は、本図に示すように、クロマトグラム４０および分析結果４１を、その分析に使用したメソッドファイルに保存するための画面３９をディスプレイ３０に表示する。
図５に示すクロマトグラム４０および分析結果４１はたん白質加水分解物分析法によるアミノ酸分析結果の一例である。メソッド開発者はディスプレイ３０に表示されたクロマトグラム４０および分析結果４１を、予め登録しておいたデータと比較することによって、良好な結果かであるか否かを確認する（Ｓ２０６）。クロマトグラム４０および分析結果４１が良好でない場合は、ステップＳ２０２に戻り、分析条件の設定からやり直す。クロマトグラム４０および分析結果４１が良好な場合は、ステップＳ２０７へ進む。ステップＳ２０７ではクロマトグラム４０および分析結果４１をメソッドファイルに登録するかどうかを判断する。登録をしない場合は、分析作業を終了する。登録する場合は、画面３９上の「結果をメソッドへ登録」ボタン４２を押し、ステップＳ２０８へと進む。
【００１４】
ステップＳ２０８に進むと、図６の分析条件の補正条件の設定画面４４を表示する。補正条件の設定画面４４ではこのメソッドファイルを使用して分析を行った際に、良好な結果を得られたかどうかを判定する条件と、良好な結果が得られなかった場合に分析条件を補正するパラメータを、成分を基点として設定する。成分名４５には分析結果の同定ピークの一覧を表示する。基準４６には、成分ごとにピーク分離度やピーク保持時間など、どの結果を判定基準として補正を行うかの設定をする。この基準４６には対象成分で補正を行わない「補正しない」設定も可能である。この場合、以下の基準パラメータ４７、補正項目４８、補正パラメータ４９の設定は不要である。次に基準４６で設定した判定基準の許容範囲または上下限などの制限値を基準パラメータ４７に設定する。基準４６を「保持時間」とした場合は、対象成分のピーク保持時間を基点とした許容範囲を入力する。基準４６を「分離度」とした場合は、下限値を入力する。次に基準の範囲外または上下限値を超えた場合に、図４のタイムテーブルのうち、どの分析条件のパラメータを補正するかを補正項目４８に設定する。次に補正パラメータ４９を設定する。補正は下式に基づき行い、補正パラメータ４９には以下の補正式（式１）の係数ａの値を入力する。
Ｔ’＝Ｔ−ａ（ＲＴA−ＲＴM）  ・・・（式１）
Ｔ’：補正後の分析条件の補正項目４８の設定値
Ｔ ：メソッドファイルに登録されている分析条件の補正項目４８の設定値
ＲＴA：メソッドファイルに登録されている分析条件を使用して取得した分析結果の対象成分の保持時間
ＲＴM：メソッドファイルに登録されている分析結果の対象成分の保持時間
一例として図６の成分Ｃｙｓ(システイン)を挙げると、Ｃｙｓの補正式（式１）は以下のようになる。
ＴB3’＝ＴB3−１×（ＲＴA−ＲＴM）  ・・・（式２）
Ｔ’：補正後のＢ３切替時間（図４の％Ｂ３が１００に切替る前後の時間の設定値
Ｔ ：メソッドファイルに登録されている分析条件のＢ３切替時間（図４の％Ｂ３が１００に切替る前後時間）の設定値（４．５と４．６）
ＲＴA：メソッドファイルを使用して取得した分析結果の対象成分の保持時間
ＲＴM：メソッドファイルに登録されている分析結果の対象成分の保持時間
以上のパラメータの設定を完了したら、「ＯＫ」ボタン５０を押下する。以上の設定を破棄する場合は、「キャンセル」ボタン５１を押下する。「ＯＫ」ボタン５０を押下すると次のステップＳ２０９に進む。「キャンセル」ボタン５１を押下すると、ステップＳ２０７に戻る。ステップＳ２０９では、取得したクロマトグラム４０、分析結果４１およびステップＳ２０８で設定した補正条件をどのメソッドファイルに登録するかを選択する。
図７は補正条件を登録するメソッドファイルを選択する画面５２である。メソッド開発者は、この画面５２より登録するメソッドファイルが保存されているフォルダをフォルダリスト５３より選択する。選択したフォルダ内に保存されているメソッドファイルの一覧５４より、登録するメソッドを選択し、「登録」ボタン５５を押下する。「登録」ボタン５５を押下すると選択したメソッドファイルにクロマトグラム４０、分析結果４１およびステップＳ２０８で設定した補正条件が登録される。「キャンセル」ボタン５６を押下すると、ステップＳ２０７に戻る。以上でメソッド開発者の手順は終了である。
（オペレーターの手順）
オペレーターの操作を、図３を用いて説明する。オペレーターは、キーボード３１、マウス３２などの入力装置を使用して所定の操作を行い、分析計本体２２とデータ処理装置３４を起動する（Ｓ３０１）。データ処理装置３４より、測定試料に合わせて記憶装置２９内の保存されているメソッド開発者が作成したメソッドファイルを選択し、開く（Ｓ３０２）。測定するアミノ酸試料の数、バイアルの位置および測定に使用する分析条件を設定したサンプルテーブルを作成し、修正がなければ、確定したサンプルテーブルを記憶装置２９内の任意に指定したフォルダの中にサンプルテーブルファイルとして保存する(Ｓ３０３)。アミノ酸試料の分析を開始する前に、準備運転を行う（Ｓ３０４）。この準備運転は、緩衝液・反応液のパージやカラムの平衡化等を指す。準備運転が完了後、登録したサンプルテーブルを用いてアミノ酸試料の分析を開始する（Ｓ３０５）。アミノ酸分析計１はメソッドファイルに設定されているメソッドの分析条件で、指定されたアミノ酸試料の測定を行う。分析終了後、データ処理装置３４は、取得したクロマトグラムおよび分析結果を記憶装置２９内の任意に指定したフォルダ内にデータファイルとして保存する。
図８は、オペレーターの分析結果表示画面である。ＵＩ制御プログラム３６は、図８のクロマトグラム５８および分析結果５９を表示した画面５７をディスプレイ３０に表示する。
【００１５】
次に、図２のステップ２０７において予めメソッドファイルに登録されているクロマトグラムおよび分析結果との比較を行う（Ｓ３０６）。オペレーターは画面５７上の「登録した結果と比較」ボタン６１を押下する。データ処理装置３４はクロマトグラム５８の画面上にメソッドファイルに登録されているクロマトグラムを重ねて表示し、オペレーターに視覚的に比較できるようにする。次に、分析結果５９がメソッドファイルに登録されている補正を行う必要があるかどうかの判定を行う。判定の結果、補正を行う必要がない場合は、分析作業を終了する。補正を行う必要がある場合には、ステップ３０７へ進む。
図９は、補正の判定結果画面である。ステップ３０７では、本図に示す補正を行う必要がある場合の成分の結果を表示する画面６２を表示し、オペレーターに分析条件の補正を行うか、行わないかの選択を促す。ここでは分析結果５９のなかで、図６で設定した測定成分のうちの成分Ｃｙｓを例とする。画面６２で「キャンセル」ボタン６４を押下すると、ステップ３０６へ戻る。「ＯＫ」ボタン６３を押下すると、式１に基づき分析条件の補正を行う。成分Ｃｙｓは式２に基づき分析条件のＢ３の切換前後時間の設定値（４．５と４．６）を次のように補正する。
切換前時間 ＴB3b’＝４．５−１×（１２．０５３−１２．５２０）
＝４．９６７≒５．０ ・・・式３
切換後時間 ＴB3a’＝４．６−１×（１２．０５３−１２．５２０）
＝５．０６７≒５．１ ・・・式４
データ処理装置３４は式３、式４で求めた時間を分析条件のタイムテーブルに設定し、補正したタイムテーブル６５の分析条件を、メソッドファイルを保存する。図１０は、補正後のタイムテーブルを示す。
【００１６】
以上により、オペレーターの分析方法に関する知識や習熟度に関わらず、良好な分析結果が得られなかった場合においても、メソッド開発者等の熟練者により予め登録された分析条件の補正条件を利用することにより、分析条件の補正を自動的に行い、次回の分析より良好な結果が得られるようにすることが可能となる。
【００１７】
以上、本実施形態の説明においては、アミノ酸分析計１に適用したデータ処理装置３４を例に説明したが、これに限定されるものではなく、その他の液体クロマトグラフ装置のデータ処理装置に適用できる。
【符号の説明】
【００１８】
１  アミノ酸分析計
２、３、４、５  緩衝液
６  水
７  カラム再生液
８  電磁弁
９  溶離液ポンプ
１０  アンモニアフィルタ
１１  サンプラ
１２  分離カラム
１３〜１４  ニンヒドリン試薬
１５  洗浄液
１６  電磁弁
１７  ニンヒドリンポンプ
１８  反応コイル
１９  検出器
２０  制御部
２１  通信ユニット
２２  分析計本体
２３  通信回線
２４  通信ユニット
２５  ＲＡＭ
２６  ＣＰＵ
２７  内部バス
２８  入出力制御部
２９  記憶装置
３０  ディスプレイ
３１  キーボード
３２  マウス
３３  スピーカ
３４  データ処理装置
３３  スピーカ
３４  データ処理装置
３５  ユーザーインタフェース制御プログラム
３６  装置制御プログラム
３７  データ処理プログラム
３８  タイムテーブル３９  メソッド開発者の分析結果表示画面４０、５８  クロマトグラム
４１、５９  分析結果
４２、４３、５０、５１、５５、５６、６０、６１、６３、６４  ボタン
４４  補正条件の設定画面
４５  成分名
４６  基準
４７  基準パラメータ
４８  補正項目
４９  補正パラメータ
５０  ボタン
５２  補正条件を登録するメソッドファイルの選択画面
５３  メソッドファイルのフォルダリスト
５４  メソッドファイルの一覧
５５  分析結果の表示画面
６２  補正の判定結果表示画面
【図１】
2014098672.tif 000003
【図２】
2014098672.tif 000004
【図３】
2014098672.tif 000005
【図４】
2014098672.tif 000006
【図５】
2014098672.tif 000007
【図６】
2014098672.tif 000008
【図７】
2014098672.tif 000009
【図８】
2014098672.tif 000010
【図９】
2014098672.tif 000011
【図１０】
2014098672.tif 000012